(57)【要約】  所定の間隔で積層され、その間を空気が流れるアルミニウムを含む金属製の挿入孔を有する板状の複数のフィン１１と、長辺側を直線とし、短辺側を半円状の曲線とした形状を断面とし、長辺側の両側外周表面とフィン１１と接する短辺側の外周表面とにロウ材が被覆された管であり、フィン１１の積層方向に沿って冷媒が管内を流れるようにフィンに挿入されるアルミニウムを含む金属製の複数の扁平管１２とを備え、フィン１１のフィンカラー１８の先端部と扁平管１２とが接触し、フィンカラー１８の根元部と扁平管１２との間には隙間を有し、扁平管１２は、短辺側に被覆するロウ材の厚さを長辺側に被覆するロウ材の厚さよりも薄くし、扁平管１２の外周表面に被覆したロウ材を有するロウクラッド材１５によりフィン１１と扁平管１２とを接合し、容易に、確実に接合を行うようにした。
2013161792.tif 000002
【特許請求の範囲】
【請求項１】
所定の間隔で積層され、その間を空気が流れるアルミニウムを含む金属製の挿入孔を有する板状の複数のフィンと、
長辺側を直線とし、短辺側を半円状の曲線とした形状を断面とし、前記長辺側の両側外周表面と前記フィンと接する前記短辺側の外周表面とにロウ材が被覆された管であり、前記フィンの積層方向に沿って冷媒が管内を流れるように前記フィンに挿入されるアルミニウムを含む金属製の複数の扁平管とを備え、
前記フィンのフィンカラーの先端部と前記扁平管とが接触し、前記フィンカラーの根元部と前記扁平管との間には隙間を有し、前記扁平管は、前記短辺側に被覆するロウ材の厚さを前記長辺側に被覆するロウ材の厚さよりも薄くし、前記扁平管に被覆したロウ材により前記フィンと前記扁平管とを接合した熱交換器。
【請求項２】
前記長辺側に被覆するロウ材の厚さを全厚肉の３〜７パーセントの範囲にする請求項１に記載の熱交換器。
【請求項３】
請求項１又は２に記載の熱交換器の扁平管を製造する方法であって、
あらかじめロウ材を被覆したアルミニウムを含む金属製の板を分割する工程と、
分割した板の切断面に冷媒の流路となる凹部をそれぞれ形成する工程と、
前記凹部を対向させて前記分割した板を接合する工程と
を有する熱交換器の製造方法。
【請求項４】
冷媒を圧縮して吐出する圧縮機と、熱交換により前記冷媒を凝縮させる凝縮器と、凝縮に係る冷媒を減圧させるための絞り装置と、減圧に係る冷媒と空気とを熱交換して前記冷媒を蒸発させる蒸発器とを配管接続して冷媒回路を構成し、
前記蒸発器、前記凝縮器の少なくとも一方を請求項１又は２に記載の熱交換器とすることを特徴とする冷凍サイクル装置。
【発明の詳細な説明】
【技術分野】
【０００１】
本発明は、冷媒と空気との間で熱交換を行う熱交換器等に関するものである。
【背景技術】
【０００２】
従来の熱交換器に、板状のフィンを多数平行に配置して治具で固定し、各フィンと伝熱管となる扁平管とを挿入し、ロウ材を配置して各フィンと各扁平管とを接合して固定する熱交換器がある（例えば、特許文献１参照）。
【先行技術文献】
【特許文献】
【０００３】
【特許文献１】特開２００９−２８１６９３号公報（図９−図１２等）
【発明の概要】
【発明が解決しようとする課題】
【０００４】
上記のような熱交換器においては、例えばロウ材がうまく配置されていないと、ロウ付け時に溶融したロウ材が例えばロウ材がフィン上に流れてしまい、フィンを溶かしてしまう可能性があった。また、フィンと扁平管との隙間に入り込んで行かないことがあるため、フィンと扁平管との接合がうまくなされない可能性があった。【０００５】
本発明は、上記の課題を解決するためになされたもので、フィンと扁平管との接合を容易に確実に行うことができる熱交換器等を提供することを目的とする。
【課題を解決するための手段】
【０００６】
本発明に係る熱交換器は、所定の間隔で積層され、その間を空気が流れるアルミニウムを含む金属製の挿入孔を有する板状の複数のフィンと、長辺側を直線とし、短辺側を半円状の曲線とした形状を断面とし、長辺側の両側外周表面とフィンと接する短辺側の外周表面とにロウ材が被覆された管であり、フィンの積層方向に沿って冷媒が管内を流れるようにフィンに挿入されるアルミニウムを含む金属製の複数の扁平管とを備え、フィンのフィンカラーの先端部と扁平管とが接触し、フィンカラーの根元部と扁平管との間には隙間を有し、扁平管は、短辺側に被覆するロウ材の厚さを長辺側に被覆するロウ材の厚さよりも薄くし、扁平管に被覆したロウ材によりフィンと扁平管とを接合したものである
【発明の効果】
【０００７】
本発明によれば、扁平管に被覆したロウ材により、扁平管と板状フィンとのロウ付けを行って接合することで、容易に、確実に接合を行うことができる。
【図面の簡単な説明】
【０００８】
【図１】本発明の実施の形態１に係る熱交換器を有する室内ユニットの構成を示す図である。
【図２】本発明の実施の形態１における主熱交換器１０の一部を示す図である。
【図３】フィン１１と扁平管１２との接合部分を説明する図である。
【図４】本発明の実施の形態１に係る扁平管１２の断面を示す図である。
【図５】本発明の実施の形態２に係る扁平管１２の断面を示す図である。
【図６】本発明の実施の形態３に係るロウクラッド材１５の厚さと熱交換率との関係を表す図である。
【図７】本発明の実施の形態４に係る扁平管１２の製造工程を説明するための図である。
【図８】本発明の実施の形態５における冷凍サイクル装置の構成を示す図である。
【発明を実施するための形態】
【０００９】
実施の形態１．
図１は本発明の実施の形態１に係る熱交換器を有する室内ユニットの構成を示す図である。ここでは空気調和を行う空気調和装置（冷凍サイクル装置）において、空調対象空間側に配置する室内ユニットを例にして説明する。ただし、本発明の熱交換器は室内ユニットの熱交換器として限定するものではない。ここで、以下においては、図の左側を前面、右側を背面として説明する。また、機器等について、特に区別したり、特定したりする必要がない場合には、添字を省略して記載する場合もある。また、以下で説明する温度、圧力の高低については、特に絶対的な値との関係で高低等が定まっているものではなく、装置等における状態、動作等において相対的に定まる関係に基づいて表記しているものとする。
【００１０】
図１において、室内ユニット１のケーシング２と前面パネル３と間の上部に、空気の吸込み口５を有する天面パネル４を設ける。そして、天面パネル４の内側（下流側）にはフィルタ６を設置する。ドレンパン７ａ、７ｂは、熱交換により生じる水分を受ける。また、吸込み口５の下流側に送風機８を配置する。そして、送風機８の下流側には吹出し口９を有している。
【００１１】
第１の主熱交換器１０ａ、１０ｂは室内ユニット１の前面側上部（フィルタ６と送風機８との間）において、空気の流れ方向（矢印で示す）に対して２列に設置されている。また、第２の主熱交換器１０ｃ、１０ｄは第１の熱交換器１０ａ、１０ｂの下部において、空気の流れ方向に対して２列に配設されている。そして、第３の主熱交換器１０ｅ，１０ｆは室内ユニット１の背面側上部において、空気の流れ方向に対して２列に配設されている。第１〜第３の主熱交換器１０ａ〜１０ｆは、平板状のフィン１１と伝熱管となる扁平管１２を有するフィンチューブ型の熱交換器である。ここで、２列に並んだ主熱交換器１０ａと１０ｂ、１０ｃと１０ｄ、１０ｅと１０ｆにおいては、扁平管１２が千鳥状になるような配置関係にある。以下、第１〜第３の主熱交換器１０ａ〜１０ｆを、単に主熱交換器１０と記すことがある。
【００１２】
また、補助熱交換器２０ａ、２０ｂ、２０ｃはフィン２１に円管からなる伝熱管２２を取付けて構成している。そして、第１〜第３の主熱交換器１０の空気の流れに対して上流側にそれぞれ配設する。
【００１３】
図２は本発明の実施の形態１における主熱交換器１０の一部を示す図である。図２（ａ）は部分斜視図を示している。また、図２（ｂ）はフィン１１と扁平管１２との関係を示す部分拡大図である。本実施の形態の主熱交換器１０は、前述したように、断面形状の一部が曲線となっている扁平状の伝熱管である扁平管１２を有する扁平管熱交換器について説明する。図２（ａ）において、実施の形態１の主熱交換器１０は、冷媒が流れる方向と垂直に切断した断面において、長辺部分が直線で、短辺部分が例えば半円状等の曲線とした扁平状の複数の扁平管１２を有する。複数の扁平管１２は、管内に流す冷媒の流路方向とは直交する方向に、一定間隔をおいて平行に配列している。また、挿入孔１６が設けられた複数の平板状（矩形状）のフィン１１を有する。フィン１１は冷媒の流路方向（扁平管１２の並び方向と直交する方向）で一定間隔に平行に配列させる。そして、平板状のフィン１１の挿入孔１６に挿入された扁平管１２とを備え、フィン１１と扁平管１２との接触部分（ロウ付け部１３）をロウ付けにより接合している。ここで、フィン１１及び扁平管１２は、アルミニウム又はアルミニウム合金を材料として用いる。本実施の形態においてはアルミニウムを材料とする。アルミニウム等を材料とすることにより、熱交換効率の向上、軽量化、小型化等をはかることができる。ここで、本実施の形態のフィン１１については、扁平管１２の長辺に沿う、幅方向（扁平管１２を楕円としたときの長軸方向）の長さよりも扁平管１２の短辺に沿う、並び方向（扁平管１２を楕円としたときの短軸方向）の方が長い矩形状であるため、扁平管１２の並び方向を長手方向とし、扁平管１２の幅方向を短手方向とする。
【００１４】
図３は、フィン１１と扁平管１２との接合部分を説明する図である。フィン１１は、長手方向に複数の挿入孔１６を有している。各挿入孔１６は各扁平管１２に対応するため、例えば、扁平管１２と同数かつ同間隔（両端を除く）で設けている。また、各挿入孔１６の間にフィン１１の一部を切り起こして形成したスリット１７を設けている。そして、各挿入孔１６の縁には、フィン１１に対して垂直方向に立ち上げられたフィンカラー１８が設けられている。扁平管１２とフィンカラー１８とは、フィンカラー１８の先端部において扁平管１２と接触している。フィンカラー１８の根元部においては扁平管１２とフィンカラー１８との間は隙間を有している。扁平管１２とフィンカラー１８との間に隙間があると、扁平管１２を平板状フィン１１の挿入孔１６に挿入しやすくなる。扁平管１２とフィンカラー１８との隙間は２μｍから３０μｍが好ましい。そして、図３に示すように、扁平管１２とフィン１１（フィンカラー１８）とをロウ付け部１３においてロウ材で接合することで、各扁平管１２と各フィン１１とを固定している。ここで、例えば扁平管１２の表面にロウクラッド材１５を有していると、隙間が２μｍ以下の場合、扁平管１２にフィンカラー１８を挿入するのが難しい。また、隙間が３０μｍ以上の場合には、扁平管１２とフィンカラー１８とを有効に接合することができない。このため、扁平管１２とフィンカラー１８との隙間を２μｍから３０μｍとしている。
【００１５】
図４は本発明の実施の形態１に係る扁平管１２の断面を示す図である。扁平管１２内には、幅方向に、複数の孔（冷媒流路）１４が並んで設けられている。冷媒流路１４内には例えば主熱交換器１０を通過する空気と熱交換をさせるための冷媒が流れる。ここで、冷媒流路１４には、内周面に螺旋状の溝が形成されている。この溝により、冷媒の相変化を効率よく行い、管内の表面積増加、流体攪拌効果、溝の毛細管作用による液膜保持効果等により、伝熱管の伝熱性能の改善をはかる。
【００１６】
また、本実施の形態においては、溶融させてフィン１１と扁平管１２とをロウ付けするためのロウ材をクラッド（被覆）したロウクラッド材１５を、扁平管１２の長辺側の両側外周表面と扁平管１２のフィン１１が接する短辺側の外周表面に形成して有している。本実施の形態では、フィン１１及び扁平管１２の材料がアルミニウムであるため、アルミニウムにシリコンを含有したＡｌ−Ｓｉ系（アルミニウム−シリコン系）の合金をロウ材としてロウクラッド材１５を形成している。
【００１７】
ロウクラッド材１５を扁平管１２の長辺側の両側外周表面と扁平管１２のフィン１１が接する短辺側の外周表面に形成して、扁平管１２にフィン１１を挿入してロウ付けを行うようにすることで、ロウ付けを容易に行うことができる。このとき、ロウ材がロウ付け部１３にまんべんなく行き渡った状態でロウ付けをすることができる。ここで、フィン１１となるアルミニウム板にロウクラッド材を形成することも考えられるが、ロウ材はアルミニウムよりも硬い合金である。このため、例えばフィン１１を成型する際、加工に用いる金型が破損しやすくなり、加工コストが増加する。また、フィン１１となるアルミニウム板にロウクラッド材を形成すると、フィン１１を製作するための加工が難しくなる。このため、スリットの高さを確保することが困難となり、熱交換の性能が低下する。以上のことから、本実施の形態においては、扁平管１２にロウクラッド材１５を形成するようにしている。
【００１８】
以上のように、実施の形態１の熱交換器によれば、扁平管１２の長辺側の両側外周表面と扁平管１２のフィン１１が接する短辺側の外周表面に形成したロウクラッド材１５により、主熱交換器１０を構成するフィン１１と扁平管１２とをロウ付けして接合するようにしたので、容易に、確実に接合することができる。接合を確実に行うことができるので、熱交換効率の向上をはかることができる。
【００１９】
実施の形態２．
図５は本発明の実施の形態２に係る扁平管１２の断面を示す図である。図４に示すように、本実施の形態の扁平管１２では、外周表面の短辺部分におけるロウクラッド材１５と長辺部分におけるロウクラッド材１５の厚さが異なるように形成する。例えば、外周表面の短辺部分におけるロウクラッド材１５を長辺部分におけるロウクラッド材１５よりも薄く形成している（長辺部分におけるロウクラッド材１５を厚く形成している）。場合によっては、長辺部分のみにロウクラッド材１５を形成するようにしてもよい。
【００２０】
前述した実施の形態１の扁平管１２は、外周表面全体にロウクラッド材１５を形成するものであった。例えば、ロウ付けを行っているときに、溶融したロウ材が重力等によって伝ってくることがある。このとき、ロウ材が多いと短辺部分に余剰のロウ材がまわり込むことがある。このままロウ材が固まると、接合部分以外にはみ出したロウ材がフィン１１間の隙間を小さくして熱交換器における通風を阻害する可能性がある。そこで、溶融したロウ材がはみ出すことがないように、本実施の形態では、短辺部分におけるロウクラッド材１５を長辺部分より薄くなるように形成し、フィン１１と扁平管１２との隙間を伝ってきたロウ材により短辺部分をロウ付けして接合するようにする。
【００２１】
以上のように、実施の形態２の熱交換器によれば、外周表面の短辺部分のロウクラッド材１５を薄く形成するようにしたので、ロウ付け時において、短辺部分に余剰のロウ材が回り込むことがなく、通風を阻害することがなくなる。
【００２２】
実施の形態３．
図６は本発明の実施の形態３に係るロウクラッド材１５の厚さと熱交換率との関係を表す図である。図５において、横軸は扁平管１２の全肉厚（短辺方向長さ）に対するロウクラッド材１５の厚さの割合をクラッド率（百分率）として表し、縦軸は熱交換率（百分率）を表している。
【００２３】
例えばクラッド率が低すぎる（約３パーセント以下）場合には、フィン１１と扁平管１２とを接合するためのロウ材が不足し、接合不良が発生するため、熱交換率が悪くなる。また、クラッド率が高すぎる（約７パーセント以上）場合には、ロウクラッド材１５が溶融したときにフィン１１と扁平管１２との隙間が広がる。長辺部分におけるフィン１１と扁平管１２との隙間が広がると、隙間にロウ材を保持できなくなってしまい、接合不良が発生する。また、長辺部分でロウ材が不足すると共に、短辺部分に多くのロウ材がまわり込むことになる。このため、余剰のロウ材がフィン１１間の隙間を小さくし、空気側の圧力損失（通風抵抗）が増加する。以上より熱交換率が悪くなる。
【００２４】
以上のことから、扁平管１２の全肉厚に対するロウクラッド材１５の厚さの割合を３〜７パーセントとした扁平管１２とフィン１１とを接合して熱交換器を作成することがよい。
【００２５】
実施の形態４．
図７は本発明の実施の形態４に係る扁平管１２の作製工程を説明するための図である。図７に基づいて、本実施の形態における扁平管１２の製造の一例について説明する。本実施の形態においては、一般に市販等がされている、母材表面にロウクラッド材１５を形成したビレット３０を材料とする（図７（ａ））。
【００２６】
そして、ビレット３０を２つに分割する（図７（ｂ））。そして、切断面側にそれぞれ冷媒流路１４となる凹部３１を形成する（図７（ｃ））。凹部３１を形成する際には、前述した螺旋状の溝も形成しておく。そして切断面同士（凹部３１を形成した面）を対向させて結合し、扁平管１２を作製する。
【００２７】
あらかじめ母材表面にロウクラッド材１５を形成したビレット３０を用いて加工することで、加工に係る時間、費用等、コストを削減することができる。
【００２８】
ここでは市販等されているロウクラッド材１５を形成したビレット３０を用いたが、別の方法で作成することもできる。例えば、ビレットに押し出し成型により冷媒流路１４を加工して、扁平管１２を作製した後、扁平管１２表面にロウ材を塗布等してロウクラッド材１５を形成するようにしてもよい。
【００２９】
実施の形態５．
図８は本発明の実施の形態５における冷凍サイクル装置の構成を示す図である。図８の冷凍サイクル装置は、圧縮機１００、凝縮器２００、膨張弁３００及び蒸発器４００を配管接続して冷媒回路（冷媒循環回路）を構成している。ここで、温度の高低、圧力の高低については、特に絶対的な値との関係で高低等が定まっているものではなく、装置内の冷媒等における状態、動作等において相対的に定まるものとする。
【００３０】
圧縮機１００は冷媒を吸入し、圧縮して高温・高圧の状態にして吐出する。ここで、例えばインバータ回路等により回転数を制御し、冷媒の吐出量を調整できるタイプの圧縮機で構成するとよい。熱交換器となる凝縮器２００は、例えば送風機（図示せず）から供給される空気と冷媒との間で熱交換を行い、冷媒を凝縮させて液状の冷媒にする（凝縮液化させる）ものである。
【００３１】
また、膨張弁（減圧弁、絞り装置）３００は、冷媒を減圧して膨張させるものである。例えば電子式膨張弁等の流量制御手段で構成するが、例えば、感温筒を有する膨張弁、毛細管（キャピラリ）等の冷媒流量調節手段等で構成してもよい。蒸発器４００は、空気等との熱交換により冷媒を蒸発させて気体（ガス）状の冷媒にする（蒸発ガス化させる）ものである。
【００３２】
ここで、蒸発器４００、凝縮器２００の少なくとも一方に、実施の形態１〜４において説明した、扁平管１２を有する熱交換器を用いることができる。これにより、伝熱性能を向上させることができる。伝熱性能が向上することにより、エネルギー効率がよく、省エネルギーの冷凍サイクル装置を得ることができる。
【００３３】
次に、冷凍サイクル装置の各構成機器における動作等を、冷媒回路を循環する冷媒の流れに基づいて説明する。まず、圧縮機１００は、冷媒を吸入し、圧縮して高温・高圧の状態にして吐出する。吐出した冷媒は凝縮器２００へ流入する。凝縮器２００は、送風機５００から供給される空気と冷媒との間で熱交換を行い、冷媒を凝縮液化させる。凝縮液化した冷媒は膨張弁３００を通過する。膨張弁３００は、通過する凝縮液化した冷媒を減圧する。減圧した冷媒は蒸発器４００に流入する。蒸発器４００は、例えば熱負荷（熱交換対象）との熱交換により冷媒を蒸発ガス化する。蒸発ガス化した冷媒を圧縮機１００が吸入する。ここでは蒸発器４００において熱負荷と熱交換を行っているが、熱負荷を過熱する場合には凝縮器２００で行うようにしてもよい。
【産業上の利用可能性】
【００３４】
例えば、上述の実施の形態１等においては、空気調和装置の室内ユニットが有する熱交換器について説明したが、これに限定するものではない。空気調和装置の室外ユニットが有する熱交換器にも適用することができる。また、他の冷凍サイクル装置の蒸発器、凝縮器等に用いる熱交換器にも適用することができる。
【符号の説明】
【００３５】
１  室内ユニット、２  ケーシング、３  前面パネル、４  天面パネル、５  吸込み口、６  フィルタ、７ａ，７ｂ  ドレンパン、８  送風機、９  吹出し口、１０，１０ａ〜１０ｆ  主熱交換器、１１  フィン、１２  扁平管、１３  ロウ付け部、１４  冷媒流路、１５  ロウクラッド材、１６  挿入孔、１７  スリット、１８  フィンカラー、２０ａ〜２０ｃ補助熱交換器、２１  フィン、２２  伝熱管、３０  ビレット、３１  凹部、１００  圧縮機、２００  凝縮器、３００  膨張弁、４００  蒸発器。
【図１】
2013161792.tif 000003
【図２】
2013161792.tif 000004
【図３】
2013161792.tif 000005
【図４】
2013161792.tif 000006
【図５】
2013161792.tif 000007
【図６】
2013161792.tif 000008
【図７】
2013161792.tif 000009
【図８】
2013161792.tif 000010
【手続補正書】
【提出日】平成26年10月20日(2014.10.20)
【手続補正１】
【補正対象書類名】明細書
【補正対象項目名】０００６
【補正方法】変更
【補正の内容】
【０００６】
本発明に係る熱交換器は、間隔をあけて並べられ、その間を空気が流れる挿入孔を有する板状の複数のフィンと、長辺側を直線とし、短辺側を半円状の曲線とした形状を断面とし、長辺側の両側外周表面とフィンと接する短辺側の外周表面とにロウ材が被覆された管であり、フィンの積層方向に沿って冷媒が管内を流れるようにフィンに挿入される複数の扁平管とを備え、フィンのフィンカラーの先端部と扁平管とが接触し、フィンカラーの根元部と扁平管との間には隙間を有し、扁平管に被覆したロウ材によりフィンと扁平管とを接合し、長辺側に被覆するロウ材の厚さを全厚肉の３〜７パーセントの範囲にしたものである。
【手続補正２】
【補正対象書類名】特許請求の範囲
【補正対象項目名】全文
【補正方法】変更
【補正の内容】
【特許請求の範囲】
【請求項１】
間隔をあけて並べられ、その間を空気が流れる挿入孔を有する板状の複数のフィンと、
長辺側を直線とし、短辺側を半円状の曲線とした形状を断面とし、前記長辺側の両側外周表面と前記フィンと接する前記短辺側の外周表面とにロウ材が被覆された管であり、前記フィンの積層方向に沿って冷媒が管内を流れるように前記フィンに挿入される複数の扁平管とを備え、
前記フィンのフィンカラーの先端部と前記扁平管とが接触し、前記フィンカラーの根元部と前記扁平管との間には隙間を有し、前記扁平管に被覆したロウ材により前記フィンと前記扁平管とを接合し、前記長辺側に被覆するロウ材の厚さを全厚肉の３〜７パーセントの範囲にした熱交換器。
【請求項２】
間隔をあけて並べられ、その間を空気が流れる挿入孔を有する板状の複数のフィンと、
長辺側を直線とし、短辺側を半円状の曲線とした形状を断面とし、前記長辺側の両側外周表面と前記フィンと接する前記短辺側の外周表面とにロウ材が被覆された管であり、前記フィンの積層方向に沿って冷媒が管内を流れるように前記フィンに挿入される複数の扁平管とを備え、
前記フィンのフィンカラーの先端部と前記扁平管とが接触し、前記フィンカラーの根元部と前記扁平管との間には隙間を有し、前記扁平管は、前記短辺側に被覆するロウ材の厚さを前記長辺側に被覆するロウ材の厚さよりも薄くし、前記扁平管に被覆したロウ材により前記フィンと前記扁平管とを接合した熱交換器。
【請求項３】
請求項１又は２に記載の熱交換器の扁平管を製造する方法であって、
あらかじめロウ材を被覆した板を分割する工程と、
分割した板の切断面に冷媒の流路となる凹部をそれぞれ形成する工程と、
前記凹部を対向させて前記分割した板を接合する工程と
を有する熱交換器の製造方法。
【請求項４】
冷媒を圧縮して吐出する圧縮機と、熱交換により前記冷媒を凝縮させる凝縮器と、凝縮に係る冷媒を減圧させるための絞り装置と、減圧に係る冷媒と空気とを熱交換して前記冷媒を蒸発させる蒸発器とを配管接続して冷媒回路を構成し、
前記蒸発器、前記凝縮器の少なくとも一方を請求項１又は２に記載の熱交換器とすることを特徴とする冷凍サイクル装置。
【手続補正３】
【補正対象書類名】図面
【補正対象項目名】図１
【補正方法】変更
【補正の内容】
【図１】
2013161792.tif 000011
【手続補正４】
【補正対象書類名】図面
【補正対象項目名】図７
【補正方法】変更
【補正の内容】
【図７】
2013161792.tif 000012
【国際調査報告】
2013161792.tif 000013
2013161792.tif 000014
2013161792.tif 000015
2013161792.tif 000016